(57)【要約】表示用テンプレートサーバは、複数のコンテンツを端末に表示するための表示用テンプレートを、ネットワークを介して端末に提供する。サーバは、コンテンツを取得すると、取得したコンテンツに対応する原テンプレートを選択して取得したコンテンツを合成すると共に、予め設定されたレイアウトの変更を行うための変更指示情報を合成することにより、表示用テンプレートを生成する。端末ではユーザの操作やサーバからの指示によりコンテンツのレイアウトの変更を行う。【特許請求の範囲】
【請求項１】
複数のコンテンツを情報通信端末に表示するための表示用記述フォーマットであって、複数の表示領域を指定する表示領域情報と、前記表示領域の変更を指示する変更指示情報と、前記表示領域に表示するコンテンツを指示するコンテンツ指示情報とを含む表示用記述フォーマットを、前記情報通信端末に提供することを特徴とする表示用記述フォーマット提供装置。
【請求項２】
複数のコンテンツを情報通信端末に表示するための表示用記述フォーマットであって、複数の表示領域を指定する表示領域情報と、前記表示領域の変更を指示する変更指示情報と、前記表示領域に表示するコンテンツを指示するコンテンツ指示情報とを含む表示用記述フォーマットを生成し、生成した表示用記述フォーマットを、前記情報通信端末に提供することを特徴とする表示用記述フォーマット提供装置。
【請求項３】
前記変更指示情報は、前記表示領域の少なくとも２つ以上のそれぞれに対し変更を指示するものであることを特徴とする請求項１または２に記載の表示用記述フォーマット提供装置。
【請求項４】
前記変更指示情報は、少なくとも１つの前記表示領域に対し複数の変更を指示するものであることを特徴とする請求項１ないし３の何れか１項に記載の表示用記述フォーマット提供装置。
【請求項５】
前記変更指示情報は、前記表示領域の移動を指示する情報、他の情報通信端末への前記表示領域の移動を指示する情報、２つの前記表示領域の入替えを指示する情報、或る表示領域に対する非表示から表示への変更を指示する情報、および或る表示領域の非表示への変更を指示する情報、の中の少なくとも１つであることを特徴とする請求項１ないし４の何れか１項に記載の表示用記述フォーマット提供装置。
【請求項６】
前記変更指示情報は、前記表示領域の変更を指示する契機となる１または複数のトリガ情報を含むことを特徴とする請求項１ないし５の何れか１項に記載の表示用記述フォーマット提供装置。
【請求項７】
前記トリガ情報は、前記情報通信端末にて所定の入力が行われた場合、前記情報通信端末が所定の変更指示信号を取得した場合、コンテンツに含まれる所定の変更指示信号を取得した場合、および前記情報通信端末にて所定のアプリケーションソフトが動作した場合の中の少なくとも１つの場合に前記表示領域の変更を指示するものであることを特徴とする請求項６に記載の表示用記述フォーマット提供装置。
【請求項８】
請求項１ないし７の何れか１項に記載の表示用記述フォーマット提供装置と、複数の情報通信端末とが通信ネットワークを介して接続した通信ネットワークシステム。
【請求項９】
前記情報通信端末は、前記変更指示情報を無視することを特徴とする請求項８に記載の通信ネットワークシステム。
【請求項１０】
前記コンテンツの１つは、テレビ放送の映像情報であり、
前記情報通信端末は、前記テレビ放送の映像を表示可能な移動体であることを特徴とする請求項８に記載の通信ネットワークシステム。
【請求項１１】
前記情報通信端末は、表示装置を制御する表示制御装置であることを特徴とする請求項８に記載の通信ネットワークシステム。
【請求項１２】
複数のコンテンツを表示するための表示用記述フォーマットであって、複数の表示領域を指定する表示領域情報と、前記表示領域の変更を指示する変更指示情報と、前記表示領域に表示するコンテンツを指示するコンテンツ指示情報とを含む表示用記述フォーマットを取得する取得手段と、
取得した表示用記述フォーマットに基づいて表示装置を制御する表示制御手段とを備えることを特徴とする表示制御装置。
【請求項１３】
複数の表示領域を指定する表示領域情報、前記表示領域の変更を指示する変更指示情報、および前記表示領域に表示するコンテンツを指示するコンテンツ指示情報を取得する取得手段と、
複数のコンテンツを表示するための表示用記述フォーマットであって、取得した表示領域情報、変更指示情報、およびコンテンツ指示情報を含む表示用記述フォーマットを生成する生成手段と、
生成した表示用記述フォーマットに基づいて表示装置を制御する表示制御手段とを備えることを特徴とする表示制御装置。
【請求項１４】
前記表示用記述フォーマットを別の表示用記述フォーマットに変更するフォーマット変更手段をさらに備えることを特徴とする請求項１２または１３に記載の表示制御装置。
【請求項１５】
請求項１２ないし１４の何れか１項に記載の表示制御装置と、該表示制御装置が制御する表示装置とを備える表示システム。
【請求項１６】
複数のコンテンツを情報通信端末に表示するための表示用記述フォーマットを生成し、生成した表示用記述フォーマットを、前記情報通信端末に提供する表示用記述フォーマット提供装置の制御方法であって、
前記表示用記述フォーマット提供装置は、複数の表示領域を指定する表示領域指定情報を含む原記述フォーマットと、前記表示領域の変更を指示する変更指示情報とを記憶する記憶手段を備えており、
コンテンツ提供者からコンテンツ情報を取得すると、取得したコンテンツ情報に対応する原記述フォーマットを前記記憶手段から選択するステップと、
選択した原記述フォーマットに対し、取得したコンテンツ情報を合成すると共に、予め設定された変更指示情報を前記記憶手段から取得して合成するステップとを含むことを特徴とする表示用記述フォーマット提供装置の制御方法。
【請求項１７】
複数のコンテンツを情報通信端末に表示するための表示用記述フォーマットを、前記情報通信端末に提供する表示用記述フォーマット提供装置の制御方法であって、
前記表示用記述フォーマットは、複数の表示領域を指定する表示領域情報と、前記表示領域の変更を指示する変更指示情報と、前記表示領域に表示するコンテンツを指示するコンテンツ指示情報とを含んでおり、
前記情報通信端末が所定の変更指示信号を取得した場合に、前記表示領域の変更を指示する変更指示情報を含む表示用記述フォーマットを、前記情報通信端末に提供するステップと、
前記変更指示信号を、前記情報通信端末に送信するステップとを含むことを特徴とする表示用記述フォーマット提供装置の制御方法。
【請求項１８】
複数のコンテンツを表示するための表示用記述フォーマットに基づいて、表示装置を制御する表示制御装置の制御方法であって、
前記表示制御装置は、複数の表示領域を指定する表示領域情報を複数個記憶する記憶手段を備えており、
前記記憶手段から前記表示領域情報を選択するステップと、
選択した表示領域情報と、前記表示領域の変更を指示する変更指示情報と、前記表示領域に表示するコンテンツを指示するコンテンツ指示情報とを含む表示用記述フォーマットを生成するステップと、
生成した表示用記述フォーマットに基づいて表示装置を制御するステップとを含むことを特徴とする表示制御装置の制御方法。
【請求項１９】
請求項１６または１７に記載の表示用記述フォーマット提供装置の制御方法における各ステップをコンピュータに実行させることを特徴とする表示用記述フォーマット提供装置制御プログラム。
【請求項２０】
請求項１８に記載の表示制御装置の制御方法における各ステップをコンピュータに実行させることを特徴とする表示制御装置制御プログラム。
【請求項２１】
請求項１９に記載の表示用記述フォーマット提供装置制御プログラム、および／または、請求項２０に記載の表示制御装置制御プログラムを記録したことを特徴とするコンピュータ読取り可能な記録媒体。
【発明の詳細な説明】
【技術分野】
【０００１】  本発明は、コンテンツを表示するための表示用記述フォーマットを情報通信端末に提供する表示用記述フォーマット提供装置およびその制御方法、通信ネットワークシステム、上記表示用記述フォーマットに基づいて表示装置を制御する表示制御装置およびその制御方法、表示システム、表示用記述フォーマット提供装置制御プログラム、表示制御装置制御プログラム、ならびに該プログラムを記録した記録媒体に関するものである。特に、本発明は、コンテンツを情報通信端末に表示する表示レイアウトをサーバ側から規定する記述フォーマットの１種である表示用テンプレートに関するものである。
【背景技術】
【０００２】  従来、端末の表示能力（解像度、サポートしている伸長方式など）を把握し、該表示能力に対応するようにコンテンツをフォーマット変換して上記端末に提供するサーバなどが知られている。例えば、該サーバは、端末がＪＰＥＧ（Ｊｏｉｎｔ  Ｐｈｏｔｏｇｒａｐｈｉｃ  Ｅｘｐｅｒｔｓ  Ｇｒｏｕｐ）形式の画像をサポートしていない場合、ＪＰＥＧ形式の画像をＰＮＧ（Ｐｏｒｔａｂｌｅ  Ｎｅｔｗｏｒｋ  Ｇｒａｐｈｉｃｓ）形式の画像にフォーマット変換して端末に送信することができる。【０００３】  また、２画面を有する携帯電話機であって、所定の画面に所定のコンテンツを表示するものが知られている（例えば、特許文献２（日本国公開特許公報「特開２００５−０８００２０号公報」（公開日：２００５年３月２４日））を参照。）。また、１画面の所定領域に所定のコンテンツを表示する携帯電話機が知られている。【０００４】  また、移動体向け地上デジタル・テレビ放送（以下、「１セグメント放送」と称する。）に対応した携帯電話機であって、所定領域にテレビジョン放送の映像（以下、「ＴＶ映像」と称する。）を表示すると同時に、その他の所定領域に、ＢＭＬ（Ｂｒｏａｄｃａｓｔ  Ｍａｒｋｕｐ  Ｌａｎｇｕａｇｅ）で記載されたデータに従う表示を行うものが知られている。【０００５】  また、特許文献１（日本国公開特許公報「特開２００３−３１９０９７号公報」（公開日：２００３年１１月７日））には、２画面連動映像配信システムおよび装置が開示されている。このシステムおよび装置は、大画面表示装置接続中に携帯端末のモニタに異なるサービスを提供することを可能にするため、１本のデータに多重化された２種類のメディアデータを携帯端末にて受信し、２個の表示装置に出力する手段を提供している。また、上記システムおよび装置は、互いに連動する２種類のメディアデータを異なる端末にて受信し、連動してサービス画面を表示する手段を提供している。
【発明の開示】
【０００６】  従来、複数の表示用コンテンツを提供するサーバや放送局は、複数の表示用コンテンツを１つのコンテンツに統合して端末に送信している。この場合、サーバや放送局が複数の表示用コンテンツの表示レイアウトを決定するので、サーバや放送局が所望する表示レイアウトで端末に表示させることができる。しかしながら、端末は、統合前の各表示用コンテンツの表示レイアウトを別々に変更することは困難である。このため、端末の利用者が所望する表示レイアウトで各表示用コンテンツを表示することは困難である。
【０００７】  一方、上記サーバや放送局は、上記特許文献１のように、複数の表示用コンテンツを多重化して端末に送信することもある。この場合、多重化された表示用コンテンツを端末が分離して表示することになるため、端末の利用者が所望する表示レイアウトで各表示用コンテンツを表示することが可能である。このため、上記サーバや放送局が所望する表示レイアウトで端末が各表示用コンテンツを表示することが困難となる。
【０００８】  本発明は、上記の問題点に鑑みてなされたものであり、その目的は、サービスを提供する側でもサービスを受ける側でも、複数のコンテンツの表示レイアウトを変更できる表示用記述フォーマット提供装置などを提供することにある。
【０００９】  本発明に係る表示用記述フォーマット提供装置は、上記目的を達成するため、複数のコンテンツを情報通信端末に表示するための表示用記述フォーマットであって、複数の表示領域を指定する表示領域情報と、前記表示領域の変更を指示する変更指示情報と、前記表示領域に表示するコンテンツを指示するコンテンツ指示情報とを含む表示用記述フォーマットを、前記情報通信端末に提供することを特徴としている。
【００１０】  また、本発明に係る表示用記述フォーマット提供装置は、上記目的を達成するため、複数のコンテンツを情報通信端末に表示するための表示用記述フォーマットであって、複数の表示領域を指定する表示領域情報と、前記表示領域の変更を指示する変更指示情報と、前記表示領域に表示するコンテンツを指示するコンテンツ指示情報とを含む表示用記述フォーマットを生成し、生成した表示用記述フォーマットを、前記情報通信端末に提供することを特徴としている。
【００１１】  上記の構成によると、情報通信端末は、表示用記述フォーマット提供装置から取得した表示用記述フォーマットに含まれる表示領域情報およびコンテンツ指示情報に基づいて、複数の表示領域を指定し、指定された各表示領域に、指示されたコンテンツをそれぞれ表示することになる。そして、情報通信端末は、上記表示用記述フォーマットに含まれる変更指示情報に基づいて、コンテンツの表示領域が変更されることになる。
【００１２】  これにより、例えば、情報通信端末の利用者による所定の入力が表示領域の変更の契機（トリガ）となることを上記変更指示情報に含めれば、利用者がコンテンツの表示レイアウトを変更することができる。また、表示用記述フォーマット提供装置等の外部装置から所定の変更指示信号を受信することが表示領域の変更のトリガとなることを上記変更指示情報に含めれば、表示用記述フォーマット提供装置がコンテンツの表示レイアウトを変更することができる。また、コンテンツに含まれる所定の信号を受信することが表示領域の変更のトリガとなることを上記変更指示情報に含めれば、コンテンツに連動して表示レイアウトを変更することができる。
【００１３】  したがって、本発明に係る表示用記述フォーマット提供装置は、サービスを提供する表示用記述フォーマット提供装置またはコンテンツ提供サーバの側でも、サービスを受ける情報通信端末の側でも、情報通信端末に表示される複数のコンテンツの表示レイアウトを変更することができる。
【００１４】  なお、表示用記述フォーマットは、コンテンツ自身を含んでもよいし、ネットワークアドレス、ＵＲＩ（Ｕｎｉｆｏｒｍ  Ｒｅｓｏｕｒｃｅ  Ｉｄｅｎｔｉｆｉｅｒｓ）、ＴＶ放送のチャンネル情報などのコンテンツの位置情報を含んでもよい。
【００１５】  また、表示用記述フォーマット提供装置から情報通信端末への表示用記述フォーマットの提供は、通信ネットワークを介して行われてもよいし、フラッシュメモリ、光ディスクなどの記録媒体を介して行われてもよいし、放送により行われてもよい。
【００１６】  また、前記変更指示情報は、前記表示領域の少なくとも２つ以上のそれぞれに対し変更を指示するものであってもよい。この場合、上記表示領域ごとに変更の指示を変えることができる。
【００１７】  また、前記変更指示情報は、少なくとも１つの前記表示領域に対し複数の変更を指示するものであってもよい。この場合、上記表示領域に対し、例えば異なる契機に基づいて異なる変更を指示することができる。
【００１８】  また、前記変更指示情報の例としては、前記表示領域の移動を指示する情報、他の情報通信端末への前記表示領域の移動を指示する情報、２つの前記表示領域の入替えを指示する情報、或る表示領域に対する非表示から表示への変更を指示する情報、および或る表示領域の非表示への変更を指示する情報、およびこれらの組合せが挙げられる。
【００１９】  前記変更指示情報が、前記表示領域の移動を指示する情報である場合、各コンテンツの表示位置が変更されることになる。さらに、前記変更指示情報が、他の情報通信端末への前記表示領域の移動を指示する情報である場合、例えば、画像サイズの大きいコンテンツを、他の情報通信端末のより広い表示画面に表示することにより、コンテンツを詳細に表示することができる。
【００２０】  また、前記変更指示情報が、２つの前記表示領域の入替えを指示する情報である場合、例えば、一方の表示領域が他方の表示領域よりも表示サイズを大きくすることにより、詳細な表示を望むコンテンツを切り替えることができる。また、前記変更指示情報が、或る表示領域に対する非表示から表示への変更を指示する情報である場合、適当な時期に適当なコンテンツを追加表示させることができる。また、前記変更指示情報が、或る表示領域の非表示への変更を指示する情報である場合、不要なコンテンツを表示画面から削除することができ、他のコンテンツの表示が制約されることを回避できる。
【００２１】  また、前記変更指示情報は、前記表示領域の変更を指示する契機となる１または複数のトリガ情報を含むことが望ましい。このトリガ情報の例としては、上述のような、前記情報通信端末にて所定の入力が行われた場合、前記情報通信端末が所定の変更指示信号を取得した場合、コンテンツに含まれる所定の変更指示信号を取得した場合などに前記表示領域の変更を指示するものが挙げられる。
【００２２】  また、上記トリガ情報の他の例としては、前記情報通信端末にて所定のアプリケーションソフトが動作した場合に前記表示領域の変更を指示するものが挙げられる。ここで、上記アプリケーションソフトの例としては、メールソフト、アラームソフト、スケジューラなどが挙げられる。この場合、アプリケーションソフトの動作に応じてポップアップ表示が行われる従来の表示形態と比べて、サービスを提供する側でも、サービスを受ける側でも、情報通信端末に表示される複数のコンテンツの表示レイアウトを変更できるという効果を奏する。
【００２３】  なお、上記所定の変更指示信号は、表示用記述フォーマット提供装置から情報通信端末に送信してもよいし、別の装置から別の通信ネットワークを介して情報通信端末に送信してもよい。また、変更指示信号を電子メールとして情報通信端末が受信し、常駐しているメールソフトが動作することをトリガとして表示レイアウトを変更してもよい。
【００２４】  また、上記構成の表示用記述フォーマット提供装置と、複数の情報通信端末とが通信ネットワークを介して接続した通信ネットワークシステムであれば、上述の作用効果を奏することができる。
【００２５】  なお、情報通信端末の利用者が、外部からの変更指示信号に基づく表示レイアウトの変更を所望しない場合のために、前記情報通信端末は、前記変更指示情報を無視する機能を有することが望ましい。
【００２６】  また、例えば、前記コンテンツの１つは、移動体向け地上デジタル・テレビ放送の映像情報であり、前記情報通信端末は、前記移動体向け地上デジタル・テレビ放送の映像を表示可能な移動体であってもよい。また、前記情報通信端末は、表示装置を制御する表示制御装置であってもよい。
【００２７】  本発明に係る表示制御装置は、上記の目的を達成するため、複数のコンテンツを表示するための表示用記述フォーマットであって、複数の表示領域を指定する表示領域情報と、前記表示領域の変更を指示する変更指示情報と、前記表示領域に表示するコンテンツを指示するコンテンツ指示情報とを含む表示用記述フォーマットを取得する取得手段と、取得した表示用記述フォーマットに基づいて表示装置を制御する表示制御手段とを備えることを特徴としている。
【００２８】  また、本発明に係る表示制御装置は、上記の目的を達成するため、複数の表示領域を指定する表示領域情報、前記表示領域の変更を指示する変更指示情報、および前記表示領域に表示するコンテンツを指示するコンテンツ指示情報を取得する取得手段と、複数のコンテンツを表示するための表示用記述フォーマットであって、取得した表示領域情報、変更指示情報、およびコンテンツ指示情報を含む表示用記述フォーマットを生成する生成手段と、生成した表示用記述フォーマットに基づいて表示装置を制御する表示制御手段とを備えることを特徴としている。
【００２９】  ここで、取得手段が取得する表示用記述フォーマットまたは各種情報は、自装置の記憶手段から取得してもよいし、外部記録媒体から取得してもよいし、外部装置から通信ケーブルまたは通信ネットワークを介して取得してもよい。
【００３０】  上記の構成によると、表示制御装置は、取得手段が取得した表示用記述フォーマット、または生成手段が生成した表示用記述フォーマットに含まれる表示領域情報およびコンテンツ指示情報に基づいて表示装置を制御することにより、表示装置における複数の表示領域が指定され、指定された各表示領域に、指示されたコンテンツがそれぞれ表示される。そして、表示制御装置は、上記表示用記述フォーマットに含まれる変更指示情報に基づいて表示装置を制御することにより、コンテンツの表示領域が変更される。
【００３１】  これにより、例えば、表示制御装置の利用者による所定の入力が表示領域の変更のトリガとなることを上記変更指示情報に含めれば、利用者がコンテンツの表示レイアウトを変更することができる。また、外部装置から所定の変更指示信号を受信することが表示領域の変更のトリガとなることを上記変更指示情報に含めれば、外部からコンテンツの表示レイアウトを変更することができる。また、コンテンツに含まれる所定の信号を受信することが表示領域の変更のトリガとなることを上記変更指示情報に含めれば、コンテンツに連動して表示レイアウトを変更することができる。
【００３２】  したがって、本発明に係る表示制御装置は、利用者側でも、コンテンツサービスを提供する側でも、表示装置に表示される複数のコンテンツの表示レイアウトを変更することができる。
【００３３】  なお、表示制御装置としては、ＴＶチューナ、ＳＴＢ（セットトップボックス）、ＨＤＤレコーダ、ＤＶＤレコーダなどが挙げられる。
【００３４】  また、上記表示制御装置において、前記表示用記述フォーマットを別の表示用記述フォーマットに変更するフォーマット変更手段をさらに備えることもできる。この場合、表示レイアウトの変更を、表示用記述フォーマットの変更により容易に実現できる。
【００３５】  また、上記構成の表示制御装置と、該表示制御装置が制御する表示装置とを備える表示システムであれば、上述の作用効果を奏することができる。なお、上記表示システムでは、表示制御装置と表示装置とが一体の構成であってもよいし、別々の構成であってもよい。別々の構成の場合、表示制御装置および表示装置の間の通信は、有線で行われてもよいし、無線で行われてもよい。
【００３６】  本発明に係る表示用記述フォーマット提供装置の制御方法は、複数のコンテンツを情報通信端末に表示するための表示用記述フォーマットを生成し、生成した表示用記述フォーマットを、通信ネットワークを介して前記情報通信端末に提供する表示用記述フォーマット提供装置の制御方法である。前記表示用記述フォーマット提供装置は、複数の表示領域を指定する表示領域指定情報を含む原記述フォーマットと、前記表示領域の変更を指示する変更指示情報とを記憶する記憶手段を備えている。上記制御方法は、上記の目的を達成するため、コンテンツ提供者からコンテンツ情報を取得すると、取得したコンテンツ情報に対応する原記述フォーマットを前記記憶手段から選択するステップと、選択した原記述フォーマットに対し、取得したコンテンツ情報を合成すると共に、予め設定された変更指示情報を前記記憶手段から取得して合成するステップとを含むことを特徴としている。
【００３７】  上記の方法によると、コンテンツ提供者からコンテンツ情報を取得すると、取得したコンテンツ情報に対応する原記述フォーマットを記憶手段から選択し、選択した原記述フォーマットに対し、取得したコンテンツ情報を合成すると共に、予め設定された変更指示情報を記憶手段から取得して合成することにより、上述の表示用記述フォーマットを自動的に生成して、情報通信端末に提供することができる。
【００３８】  本発明に係る表示用記述フォーマット提供装置の制御方法は、複数のコンテンツを情報通信端末に表示するための表示用記述フォーマットを、通信ネットワークを介して前記情報通信端末に提供する表示用記述フォーマット提供装置の制御方法である。前記表示用記述フォーマットは、複数の表示領域を指定する表示領域情報と、前記表示領域の変更を指示する変更指示情報と、前記表示領域に表示するコンテンツを指示するコンテンツ指示情報とを含んでいる。上記制御方法は、上記の目的を達成するため、前記情報通信端末が所定の変更指示信号を取得した場合に、前記表示領域の変更を指示する変更指示情報を含む表示用記述フォーマットを、前記通信ネットワークを介して前記情報通信端末に提供するステップと、前記変更指示信号を、前記通信ネットワークを介して前記情報通信端末に送信するステップとを含むことを特徴としている。
【００３９】  上記の方法によると、表示用記述フォーマットには、情報通信端末が所定の変更指示信号を取得した場合に、表示領域の変更を指示する変更指示情報を含んでおり、上記変更指示信号を表示用記述フォーマット提供装置から情報通信端末に送信している。これにより、サービスを提供する表示用記述フォーマット提供装置の側が、情報通信端末におけるコンテンツの表示レイアウトを変更することができる。
【００４０】  本発明に係る表示制御装置の制御方法は、複数のコンテンツを表示するための表示用記述フォーマットに基づいて、表示装置を制御する表示制御装置の制御方法であって、前記表示制御装置は、複数の表示領域を指定する表示領域情報を複数個記憶する記憶手段を備えており、前記記憶手段から前記表示領域情報を選択するステップと、選択した表示領域情報と、前記表示領域の変更を指示する変更指示情報と、前記表示領域に表示するコンテンツを指示するコンテンツ指示情報とを含む表示用記述フォーマットを生成するステップと、生成した表示用記述フォーマットに基づいて表示装置を制御するステップとを含むことを特徴としている。
【００４１】  上記の方法によると、表示制御装置は、表示領域情報を選択し、選択した表示領域情報を含む表示用記述フォーマットに基づいて表示装置を制御している。したがって、表示制御装置の利用者は、記憶手段が記憶する複数の表示領域情報の中から所望の表示領域情報を選択して変更することにより、所望の表示レイアウトに容易に変更することができる。
【００４２】  なお、上記表示用記述フォーマット提供装置の制御方法における各ステップを表示用記述フォーマット提供装置制御プログラムによりコンピュータ上で実行させることができる。また、上記表示制御装置の制御方法における各ステップを表示制御装置制御プログラムによりコンピュータ上で実行させることができる。
【００４３】  さらに、上記表示用記述フォーマット提供装置制御プログラム、および／または、上記表示制御装置制御プログラムをコンピュータ読取り可能な記録媒体に記憶させることにより、任意のコンピュータ上で上記表示用記述フォーマット提供装置制御プログラム、および／または、上記表示制御装置制御プログラムを実行させることができる。
【００４４】  以上のように、本発明に係る表示用記述フォーマット提供装置は、変更指示情報を含む表示用記述フォーマットを情報通信端末に提供することにより、サービスを提供する側でも、サービスを受ける側でも、情報通信端末に表示される複数のコンテンツの表示レイアウトを変更できるという効果を奏する。
【００４５】  本発明のさらに他の目的、特徴、および優れた点は、以下に示す記載によって十分わかるであろう。また、本発明の利益は、添付図面を参照した次の説明で明白になるであろう。
【図面の簡単な説明】
【００４６】
【図１】本発明の一実施形態である通信ネットワークシステムの概略構成と、該通信ネットワークシステムにおける表示用テンプレートサーバの概略構成とを示すブロック図である。
【図２】上記通信ネットワークシステムにおける携帯通信端末の概略構成を示すブロック図である。
【図３】上記サーバにおけるテンプレート合成部が合成した表示用テンプレートの一例をＸＭＬ形式で記述したデータで示す図である。
【図４】上記表示用テンプレートに含まれる表示領域データに基づいて、上記携帯通信端末の表示部に表示されるコンテンツの表示領域を示す図である。
【図５】上記サーバのテンプレート合成部における処理動作を示すフローチャートである。
【図６】上記携帯通信端末の制御部における処理動作を示すフローチャートである。
【図７（ａ）】上記実施形態における表示領域の切替え前における表示例を示す図である。
【図７（ｂ）】上記実施形態における表示領域の切替え後における表示例を示す図である。
【図８】本発明の別の実施形態である通信ネットワークシステムの表示用テンプレートサーバにおけるテンプレート合成部が合成した表示用テンプレートの一例をＸＭＬ形式で記述したデータで示す図である。
【図９】上記通信ネットワークシステムの携帯通信端末の制御部における処理動作を示すフローチャートである。
【図１０（ａ）】上記実施形態における表示領域の移動前における表示例を示す図である。
【図１０（ｂ）】上記実施形態における表示領域の移動後における表示例を示す図である。
【図１１】本発明のさらに別の実施形態である通信ネットワークシステムの表示用テンプレートサーバにおけるテンプレート合成部が合成した表示用テンプレートの一例をＸＭＬ形式で記述したデータで示す図である。
【図１２（ａ）】上記実施形態における表示領域の切替え前における表示例を示す図である。
【図１２（ｂ）】上記実施形態における表示領域の切替え後における表示例を示す図である。
【図１３】本発明のさらに別の実施形態である通信ネットワークシステムの表示用テンプレートサーバにおけるテンプレート合成部が合成した表示用テンプレートの一例をＸＭＬ形式で記述したデータで示す図である。
【図１４】本発明のさらに別の実施形態である通信ネットワークシステムの表示用テンプレートサーバにおけるテンプレート合成部が合成した表示用テンプレートの一例をＸＭＬ形式で記述したデータで示す図である。
【図１５（ａ）】上記実施形態における表示領域の追加前における表示例を示す図である。
【図１５（ｂ）】上記実施形態における表示領域の追加後における表示例を示す図である。
【図１６】本発明のさらに別の実施形態である通信ネットワークシステムの表示用テンプレートサーバにおけるテンプレート合成部が合成した表示用テンプレートの一例をＸＭＬ形式で記述したデータで示す図である。
【図１７】本発明のさらに別の実施形態である通信ネットワークシステムの表示用テンプレートサーバにおけるテンプレート合成部が合成した表示用テンプレートの一例をＸＭＬ形式で記述したデータで示す図である。
【図１８（ａ）】上記実施形態における表示領域の削除前における表示例を示す図である。
【図１８（ｂ）】上記実施形態における表示領域の削除後における表示例を示す図である。
【図１９】本発明のさらに別の実施形態である通信ネットワークシステムの表示用テンプレートサーバにおけるテンプレート合成部が合成した表示用テンプレートの一例をＸＭＬ形式で記述したデータで示す図である。
【図２０】本発明のさらに別の実施形態である通信ネットワークシステムの表示用テンプレートサーバにおけるテンプレート合成部が合成した表示用テンプレートの一例をＸＭＬ形式で記述したデータで示す図である。
【図２１（ａ）】上記実施形態における表示領域の追加前における表示例を示す図である。
【図２１（ｂ）】上記実施形態における表示領域の追加後における表示例を示す図である。
【図２２】本発明のさらに別の実施形態である通信ネットワークシステムの表示用テンプレートサーバにおけるテンプレート合成部が合成した表示用テンプレートの一例をＸＭＬ形式で記述したデータで示す図である。
【図２３（ａ）】上記実施形態における表示領域の追加前における表示例を示す図である。
【図２３（ｂ）】上記実施形態における表示領域の追加後における表示例を示す図である。
【図２４】本発明のさらに別の実施形態である通信ネットワークシステムの表示用テンプレートサーバにおけるテンプレート合成部が合成した表示用テンプレートの一例をＸＭＬ形式で記述したデータで示す図である。
【図２５（ａ）】上記実施形態における表示領域の追加前における表示例を示す図である。
【図２５（ｂ）】上記実施形態における２つの表示領域の追加後における表示例を示す図である。
【図２６】本発明のさらに別の実施形態である通信ネットワークシステムの表示用テンプレートサーバにおけるテンプレート合成部が合成した表示用テンプレートの一例をＸＭＬ形式で記述したデータで示す図である。
【図２７】上記通信ネットワークシステムの携帯通信端末の表示部における表示画像の変遷例を示す図である。
【図２８】本発明のさらに別の実施形態である通信ネットワークシステムの概略構成を示すブロック図である。
【図２９】本発明のさらに別の実施形態である通信ネットワークシステムの概略構成を示すブロック図である。
【図３０】本発明の他の実施形態である通信ネットワークシステムにおける携帯通信端末の概略構成を示すブロック図である。
【図３１】上記携帯通信端末の制御部が行う処理動作を示すフローチャートである。
【図３２】上記通信ネットワークシステムの携帯通信端末の表示部における表示画像の変遷例を示す図である。
【発明を実施するための最良の形態】
【００４７】  〔実施の形態１〕
以下、本発明の一実施形態について図１〜図７を参照しつつ説明する。図１は、本実施形態である通信ネットワークシステムの概略構成を示している。図示のように、通信ネットワークシステム１０は、表示用テンプレートサーバ（表示用記述フォーマット提供装置）１１と、携帯電話機などの１または複数の携帯通信端末（情報通信端末）１２とが通信ネットワーク１３を介して通信可能に接続した構成である。また、携帯通信端末１２は、放送局１４から、例えば１セグメント放送などのＴＶ放送用電波を受信してＴＶ映像を表示する機能を有している。なお、通信ネットワーク１３としては、移動体通信網、電話回線網、インターネット、ＬＡＮ（Ｌｏｃａｌ  Ａｒｅａ  Ｎｅｔｗｏｒｋ）など、公知の通信ネットワークを利用することができる。【００４８】  表示用テンプレートサーバ（以下、単に「サーバ」と称する。）１１は、携帯通信端末１２にてコンテンツを表示するための表示用テンプレートを提供するものであり、コンピュータにより構成されている。図１に示されるように、サーバ１１は、記憶部（記憶手段）２０、制御部２１、および通信部２２を備える構成である。【００４９】  記憶部２０は、サーバ１１が提供する各種情報を記憶するものである。記憶部２０は、例えばＨＤＤ（ハードディスクドライブ）などによって構成される。なお、記憶部２０の詳細については後述する。【００５０】  制御部２１は、サーバ１１における各種構成を統括的に制御するものである。制御部２１の機能は、例えばＲＡＭやフラッシュメモリなどの記憶装置に記憶されたプログラムをＣＰＵが実行することによって実現される。なお、制御部２１の詳細については後述する。【００５１】  通信部２２は、制御部２１から受信したデータを、データ通信に適した形式に変換し、変換した信号を通信ネットワーク１３に送信するものである。また、通信部２２は、通信ネットワーク１３から受信した信号を元の形式に変換し、変換したデータを制御部２１に送信するものである。【００５２】  図２は、携帯通信端末１２の概略構成を示している。図示のように、携帯通信端末１２は、通信部３０、制御部（取得手段、表示制御手段）３１、操作部３２、表示部３３、およびＴＶ放送受信部３４を備える構成である。【００５３】  通信部３０は、制御部３１から受信したデータを、データ通信に適した形式に変換し、変換した信号を通信ネットワーク１３に送信するものである。また、通信部３０は、通信ネットワーク１３から受信した信号を元の形式に変換し、変換したデータを制御部３１に送信するものである。【００５４】  制御部３１は、携帯通信端末１２における各種構成を統括的に制御するものである。制御部３１の機能は、例えばＲＡＭやフラッシュメモリなどの記憶装置に記憶されたプログラムをＣＰＵが実行することによって実現される。本実施形態では、制御部３１は、サーバ１１から通信ネットワーク１３および通信部３０を介して取得した表示用テンプレートに基づいて、表示部３３の表示を制御するものである。【００５５】  操作部３２は、利用者からの操作を受け付けるものであり、例えば、キーボード、テンキー、ポインティングデバイスなどが挙げられる。操作部３２は、利用者か���の操作に基づいて操作信号を作成し、制御部３１に送信する。【００５６】  表示部３３は、文字や画像などの各種情報を表示出力するものである。表示部３３の例としては、ＬＣＤ（Ｌｉｑｕｉｄ  Ｃｒｙｓｔａｌ  Ｄｉｓｐｌａｙ）、ＥＬ（Ｅｌｅｃｔｒｏｌｕｍｉｎｅｓｃｅｎｃｅ）ディスプレイ、ＰＤＰ（Ｐｌａｓｍａ  Ｄｉｓｐｌａｙ  Ｐａｎｅｌ）などが挙げられる。【００５７】  ＴＶ放送受信部３４は、放送局１４からのＴＶ放送用電波を受信し、所定の映像データおよび音声データに変換して、制御部３１に送信するものである。なお、本願発明は、コンテンツの表示出力に関するものであるため、音声出力に関する構成は省略している。【００５８】  次に、表示用テンプレートサーバ１１における記憶部２０および制御部２１の詳細について、図１、図３、および図４を参照しつつ説明する。【００５９】  図１に示されるように、記憶部２０は、テンプレート記憶部２３、コマンド記憶部２４、およびコンテンツ記憶部２５を記憶している。テンプレート記憶部２３は、携帯通信端末１２の表示画面において、１または複数の表示領域を指定する表示領域情報を含む各種の原テンプレートを含んでいる。また、コマンド記憶部２４は、上記表示領域の変更を指示する各種の変更指示情報を含んでいる。また、コンテンツ記憶部２５は、上記表示領域に表示するコンテンツを指示するコンテンツ指示情報を含んでいる。なお、コンテンツ記憶部２５は、携帯通信端末１２に提供する画像データ、音声データ、文書データなどのコンテンツを含んでもよい。【００６０】  なお、コンテンツ記憶部２５は、コンテンツ自体を記憶してもよいし、ネットワークアドレス、ＵＲＩ、ＴＶ放送のチャンネル情報などのような、コンテンツの位置情報を記憶してもよい。また、コンテンツ記憶部２５は、別のサーバから提供されるコンテンツを一時記憶するものであってもよい。【００６１】  制御部２１は、テンプレート合成部２６を備えている。テンプレート合成部２６は、テンプレート記憶部２３から取得した原テンプレートに対し、コマンド記憶部２４から取得した変更指示情報と、コンテンツ記憶部２５から取得したコンテンツ指示情報とを合成するものである。テンプレート合成部２６は、合成したテンプレートを表示用テンプレートとして、通信部２２および通信ネットワーク１３を介して携帯通信端末１２に送出する。【００６２】  なお、上記表示用テンプレートの変更指示情報は、外部から所定の変更指示信号を取得すると表示領域の変更を指示するものである場合がある。そこで、表示用テンプレートサーバ１１が上記所定の変更指示信号を携帯通信端末１２に送信する場合、図１に示されるように、表示用テンプレートサーバ１１の制御部２１は、上記所定の変更指示信号を、通信部２２および通信ネットワーク１３を介して携帯通信端末１２に送信する変更指示部２７を備えることが望ましい。【００６３】  本実施形態では、サーバ１１から携帯通信端末１２に送信する表示用テンプレートは、携帯通信端末１２の表示部３３に２つの表示領域を設定し、各表示領域に異なるコンテンツを表示し、携帯通信端末１２の利用者が「切替」ボタンを押すと、表示領域を入れ替えてコンテンツを表示する���うに、携帯通信端末１２の表示部３３に指示するものである。【００６４】  図３は、テンプレート合成部２６にて合成された表示用テンプレートの一例を示している。なお、図示の場合では、表示用テンプレートは、ＸＭＬ（ｅＸｔｅｎｓｉｂｌｅ  Ｍａｒｋｕｐ  Ｌａｎｇｕａｇｅ）形式で記述されているが、ＨＴＭＬ（Ｈｙｐｅｒ  Ｔｅｘｔ  Ｍａｒｋｕｐ  Ｌａｎｇｕａｇｅ）形式、ＸＨＴＭＬ（ｅＸｔｅｎｓｉｂｌｅ  Ｈｙｐｅｒ  Ｔｅｘｔ  Ｍａｒｋｕｐ  Ｌａｎｇｕａｇｅ）形式、ＳＭＩＬ（Ｓｙｎｃｈｒｏｎｉｚｅｄ  Ｍｕｌｔｉｍｅｄｉａ  Ｉｎｔｅｇｒａｔｉｏｎ  Ｌａｎｇｕａｇｅ）形式、ＳＶＧ（Ｓｃａｌａｂｌｅ  Ｖｅｃｔｏｒ  Ｇｒａｐｈｉｃｓ）形式など、任意の記述形式またはそれらの組合せによって記述することができる。また、図示のタグは、あくまでも記述の一例であり、別の記述も可能である。【００６５】  図３において、符号４０で示したデータが、テンプレート記憶部２３から取得した原テンプレートに含まれる表示領域データ（表示領域情報）である。すなわち、表示領域データ４０は、表示用テンプレートに基づいて使用される全体の表示領域を設定し、該表示領域を２つの表示領域に分割するように指示するものである。また、表示領域データ４０は、利用者が選択する選択ボタンを表示するように指示するものである。【００６６】  なお、表示領域データ４０が携帯通信端末１２における表示画面の一部または全部の表示領域を設定するためにも、サーバ１１は、携帯通信端末１２の表示画面のサイズを公知の方法で取得しておくことが望ましい。【００６７】  図４は、図３に示される表示領域データ４０に基づいて、携帯通信端末１２の表示部３３に表示されるコンテンツの表示領域を示している。図示のように、表示部３３の表示画面のうち、幅２４０ドット、高さ２６０ドットの表示領域が全体の表示領域として設定され、設定された表示領域が、上側の広い方の表示領域４５（幅２４０ドット、高さ２００ドットの表示エリア０１）と、下側の狭い方の表示領域４６（幅２４０ドット、高さ６０ドットの表示エリア０２）とに分割されていることが理解できる。また、表示領域４５・４６の下方に、選択ボタン４７が表示されることが理解できる。【００６８】  また、図３において、符号４１で示したデータが、コマンド記憶部２４から取得したコマンドデータ（変更指示情報）である。すなわち、コマンドデータ４１は、図４に示される広い方の表示領域４５に表示するコンテンツと、狭い方の表示領域４６に表示するコンテンツとを入れ替えるように指示するものである。【００６９】  また、図３において、符号４２で示したデータが、コンテンツ記憶部２５から取得したコンテンツ指示データ（コンテンツ指示情報）である。すなわち、コンテンツ指示データ４２は、図４に示される広い方の表示領域４５に表示するコンテンツと、狭い方の表示領域４６に表示するコンテンツとを指定するものである。【００７０】  上記構成の通信ネットワークシステム１０における処理動作を、図５〜図７を参照しつつ説明する。【００７１】  図５は、サーバ１１のテンプレート合成部２６における処理動作を示している。図示のように、まず、コンテンツ提供者からコン��ンツ情報が提供されるまで待機する（ステップＳ１０（以下「Ｓ１０」と略称することがある。他のステップについても同様である。））。なお、提供されたコンテンツ情報は、コンテンツ記憶部２５に記憶される。【００７２】  ステップＳ１０にてコンテンツ情報が提供されると、提供されたコンテンツ情報に対応する原テンプレートをテンプレート記憶部２３から選択する（Ｓ１１）。次に、選択した原テンプレートに対し、提供されたコンテンツ情報と、関連するコンテンツ情報とをコンテンツ記憶部２５から取得して合成すると共に（Ｓ１２）、サービス提供者が予め設定した表示領域の変更指示情報をコマンド記憶部２４から取得して合成する（Ｓ１３）。そして、合成したテンプレートを表示用テンプレートとして携帯通信端末１２に送信する。その後、サーバ１１の処理動作を終了する。【００７３】  図６は、携帯通信端末１２の制御部３１が行う処理動作を示している。図示のように、まず、サーバ１１から表示用テンプレートを受信すると（Ｓ２０）、表示用テンプレートに含まれるコンテンツの再生開始条件に合致するまで待機する（Ｓ２１）。具体的には、コンテンツの再生開始時刻が設定されている場合には、設定された時刻に到達するまで待機する。また、利用者の操作に従うように設定されている場合には、ユーザが操作部３２における再生ボタンを押すまで待機する。【００７４】  再生開始条件に合致すると、制御部３１は、コンテンツを再生して、表示部３３の表示領域４５・４６（図４）に表示する（Ｓ２２）。次に、制御部３１は、表示領域の切替要求を取得したか否かを判断する（Ｓ２３）。本実施形態では、ユーザが操作部３２における切替ボタンを押したか否かを判断する。切替要求を取得した場合には、表示領域を切り替える（Ｓ２４）。【００７５】  図７（ａ）・（ｂ）は、それぞれ、ステップＳ２４における表示領域の切替えの前後における表示例を示している。同図（ａ）に示されるように、表示領域の切替え前には、広い方の表示領域４５にＴＶ番組の映像が表示され、狭い方の表示領域４６に地震情報のコンテンツが表示されているとする。このとき、利用者が地震情報の詳細を知りたいと考えて、切替ボタン４７ａを選択すると、同図（ｂ）に示されるように、地震情報のコンテンツが広い方の表示領域４５に表示され、ＴＶ番組の映像が狭い方の表示領域４６に表示される。【００７６】  次に、コンテンツの再生終了条件に合致するか否かを判断する（Ｓ２５）。具体的には、コンテンツの再生終了時刻が設定されている場合には、設定された時刻に到達したか否かを判断する。また、利用者の操作に従うように設定されている場合には、ユーザが操作部３２における再生終了ボタンを押したか否かを判断する。【００７７】  再生終了条件に合致しない場合には（ステップＳ２５にてＮＯ）、ステップＳ２２に戻って上記処理動作を繰り返す。一方、再生終了条件に合致する場合には（ステップＳ２５にてＹＥＳ）、コンテンツの再生を終了する（Ｓ２６）。その後、携帯通信端末１２における処理動作を終了する。【００７８】  したがって、本実施形態のサーバ１１が提供する表示用テンプレートを用いて、携帯通信端末１２の利用者が切替ボタン４７ａを選択することにより、各表示領域４５・４６に表示されるコンテンツを入れ替えることができる。その結果、上記表示用テンプレートにより、携帯通信端末１２の利用者がコンテンツの表示レイアウトを変更することができる。また、携帯通信端末１２の利用者が詳細な表示を望むコンテンツを、表示サイズの広い表示領域に表示することができる。また、携帯通信端末１２の利用者が切替ボタン４７ａを選択することで表示レイアウトを簡単に変更できるので、サービス提供者の意図に沿った分かり易いサービスを受けることができる。【００７９】  なお、本実施形態では、情報通信端末として携帯通信端末１２を利用しているが、通信機能、表示制御機能、および表示機能を有する表示装置を利用することもできるし、通信機能および表示制御機能を有する表示制御装置と表示機能を有する表示装置とを含む表示システムを利用することもできる。ここで、表示制御装置としては、ＴＶチューナ、ＳＴＢ、ＨＤＤレコーダ、ＤＶＤレコーダなどが挙げられる。【００８０】  〔実施の形態２〕
次に、本発明の別の実施形態について、図８〜図１０を参照しつつ説明する。本実施形態の通信ネットワークシステムは、図１〜図７に示される通信ネットワークシステム１０に比べて、利用者が「移動」ボタンを押すと、表示領域４５・４６を移動する点が異なり、その他の構成および処理動作は同様である。なお、上記実施形態で説明した構成および処理動作と同様の構成および処理動作には同一の符号を付して、その説明を省略する。【００８１】  図８は、本実施形態において、テンプレート合成部２６にて合成された表示用テンプレートの一例を示している。図示の表示用テンプレートは、図３に示される表示用テンプレートに比べて、表示領域データ４０において利用者が選択する選択ボタン４７が移動ボタン４７ｂである点と、コマンド記憶部２４から取得するコマンドデータとが異なるのみであり、その他のデータは同様である。【００８２】  図示のように、コマンド記憶部２４から取得したコマンドデータ５０は、図４に示される広い方の表示領域４５を下側に、狭い方の表示領域４６を上側にそれぞれ移動するように指示するものである。なお、本実施形態では、コマンドデータ５０は、移動先の座標として絶対座標を指定しているが、相対座標を指定することもできる。【００８３】  図９は、携帯通信端末１２の制御部３１が行う処理動作を示している。図示の処理動作は、図６に示される処理動作と比べて、制御部３１が、表示領域の移動要求を取得したか否かを判断し（Ｓ３０）、移動要求を取得した場合には、表示領域を移動する（Ｓ３１）点が異なり、その他の処理動作は同様である。【００８４】  図１０（ａ）・（ｂ）は、それぞれ、ステップＳ３１における表示領域を移動する工程の前後における表示例を示している。同図（ａ）に示されるように、表示領域の移動前には、広い方の表示領域４５にＴＶ番組の映像が表示され、狭い方の表示領域４６に上記ＴＶ番組の関連コンテンツが表示されているとする。このとき、利用者が関連コンテンツの表示位置を変更したいと考えて、移動ボタン４７ｂを選択すると、同図（ｂ）に示されるように、狭い方の表示領域４６が上側に移動し、かつ広い方の表示領域４５が下側に移動する。これにより、関連コンテンツが上側に表示され、ＴＶ番組の映像が下側に表示される。【００８５】  したがって、本実施形態のサーバ１１が提供する表示用テンプレートを用いて、携帯通信端末１２の利用者が移動ボタン４７ｂを選択することにより、各表示領域４５・４６を移動させることができる。その結果、携帯通信端末１２の利用者は、上記表示用テンプレートにより、所望する表示位置にコンテンツを表示させることができ、コンテンツの表示レイアウトを変更することができる。【００８６】  なお、例えばＴＶ受像機や表示制御機能を有するモニタなど、別の情報通信端末が近くに存在する場合、携帯通信端末１２の表示領域４５・４６の一方を、上記別の情報通信端末の表示画面に移動することもできる。この場合、サーバ１１は、ＵＲＩ、ネットワークアドレスなど、上記別の情報通信端末を識別する識別情報を取得する必要がある。これには、上記識別情報をサーバ１１に予め登録しておく方法や、携帯通信端末１２が、赤外線通信などの近距離無線通信手段を介して、上記別の情報通信端末から識別情報を取得し、取得した識別情報をサーバ１１に送信して、上記別の情報通信端末にコンテンツを表示するようにサーバ１１に指示する方法などが考えられる。【００８７】  〔実施の形態３〕
次に、本発明のさらに別の実施形態について、図１１および図１２を参照しつつ説明する。本実施形態の通信ネットワークシステムは、図１〜図７に示される通信ネットワークシステム１０に比べて、サーバ１１から所定の変更指示信号を取得すると、各表示領域４５・４６に表示するコンテンツを切り替える点が異なり、その他の構成および処理動作は同様である。なお、上記実施形態で説明した構成および処理動作と同様の構成および処理動作には同一の符号を付して、その説明を省略する。【００８８】  図１１は、本実施形態において、テンプレート合成部２６にて合成された表示用テンプレートの一例を示している。図示の表示用テンプレートは、図３に示される表示用テンプレートに比べて、コマンドデータ４１を実行するトリガを示す＜ｉｎｐｕｔ  ｔｙｐｅ＞タグの内容が異なるのみであり、その他のデータは同様である。図示のように、テンプレート記憶部２３から取得した原テンプレートにおける＜ｉｎｐｕｔ  ｔｙｐｅ＞タグ（トリガ情報）５１は、サーバ１１から所定の変更指示信号を取得することを示している。また、＜ｉｎｐｕｔ  ｔｙｐｅ＞タグ５１において、「ｖａｌｕｅ＝””」が省略されることにより、携帯通信端末１２の表示部３３における選択ボタン４７の表示が省略される。なお、これは、携帯通信端末１２の制御部３１が、表示用テンプレートを解釈することにより行われる。【００８９】  図１２（ａ）・（ｂ）は、それぞれ、図６に示されるステップＳ２４における表示領域の切替えの前後における表示例を示している。同図（ａ）に示されるように、表示領域の切替え前には、広い方の表示領域４５にＴＶ番組の映像が表示され、狭い方の表示領域４６に地震情報のコンテンツが表示されているとする。このとき、サーバ１１が、地震情報を重要情報であると判断して、所定の変更指示信号を携帯通信端末１２に送信すると、同図（ｂ）に示されるように、地震情報のコンテンツが広い方の表示領域４５に表示され、ＴＶ番組の映像が狭い方の表示領域４６に表示される。【００９０】  従って、本実施形態のサーバ１１が提供する表示用テンプレートを用いて、携帯通信端末１２が、サーバ１１から所定の変更指示信号を取得することにより、各表示領域４５・４６に表示されるコンテンツを入れ替えることができる。その結果、サーバ１１の側で、携帯通信端末１２に表示するコンテンツの表示レイアウトを変更することができる。また、サーバ１１の側で詳細な表示を望むコンテンツを、表示サイズの広い表示領域に表示することができる。すなわち、携帯通信端末１２の利用者は、重要情報などは大きく表示されるなど、利用者が操作することなく理解し易いサービスを受けることができる。【００９１】  〔実施の形態４〕
次に、本発明のさらに別の実施形態について、図１３を参照しつつ説明する。本実施形態の通信ネットワークシステムは、図８〜図１０に示される通信ネットワークシステム１０に比べて、サーバ１１から所定の変更指示信号を取得すると、表示領域４５・４６を移動する点が異なり、その他の構成および処理動作は同様である。なお、上記実施形態で説明した構成および処理動作と同様の構成および処理動作には同一の符号を付して、その説明を省略する。【００９２】  図１３は、本実施形態において、テンプレート合成部２６にて合成された表示用テンプレートの一例を示している。図示の表示用テンプレートは、図８に示される表示用テンプレートに比べて、コマンドデータ５０を実行するトリガを示す＜ｉｎｐｕｔ  ｔｙｐｅ＞タグの内容が異なるのみであり、その他のデータは同様である。図示のように、テンプレート記憶部２３から取得した原テンプレートにおける＜ｉｎｐｕｔ  ｔｙｐｅ＞タグ５１は、サーバ１１から所定の変更指示信号を取得することを示している。また、＜ｉｎｐｕｔ  ｔｙｐｅ＞タグ５１において、「ｖａｌｕｅ＝””」が省略されることにより、携帯通信端末１２の表示部３３における選択ボタン４７の表示が省略される。なお、これは、携帯通信端末１２の制御部３１が、表示用テンプレートを解釈することにより行われる。【００９３】  したがって、本実施形態のサーバ１１が提供する表示用テンプレートを用いて、携帯通信端末１２が、サーバ１１から所定の変更指示信号を取得することにより、各表示領域４５・４６を移動させることができる。その結果、サーバ１１の側で、所望する表示位置にコンテンツを表示することができ、コンテンツの表示レイアウトを変更することができる。【００９４】  なお、図１１および図１３に示される通信ネットワークシステムにおいて、携帯通信端末１２は、サーバ１１からの所定の変更指示信号を受信許否してもよいし、無視してもよい。また、携帯通信端末１２は、コマンドデータ４１・５０を無視してもよい。これらの場合、利用者が所望しないときに表示レイアウトが変更されることを防止できる。【００９５】  また、所定の変更指示信号は、コンテンツに含まれていてもよい。この場合、コンテンツの内容に連動して表示レイアウトを変更することができる。【００９６】  〔実施の形態５〕
次に、本発明のさらに別の実施形態について、図１４および図１５を参照しつつ説明する。本実施形態の通信ネットワークシステムは、図１〜図７に示される通信ネットワークシステム１０に比べて、利用者が「追加」ボタンを押すと、或る表示領域内に新たな表示領域が追加される点が異なり、その他の構成および処理動作は同様である。なお、上記実施形態で説明した構成および処理動作と同様の構成および処理動作には同一の符号を付して、その説明を省略する。【００９７】  図１４は、本実施形態において、テンプレート合成部２６にて合成された表示用テンプレートの一例を示している。図示の表示用テンプレートは、図３に示される表示用テンプレートに比べて、テンプレート記憶部２３から取得する表示領域データと、コマンド記憶部２４から取得するコマンドデータとが異なり、その他のデータは同様である。【００９８】  図１４に示される表示領域データ５２は、図３に示される表示領域データ４０に比べて、図４に示される広い方の表示領域５４がコンテンツの全表示領域（幅２４０ドット、高さ２６０ドット）である点と、選択ボタン４７が追加ボタン４７ｃである点とが異なり、その他の内容は同様である。【００９９】  また、図１４に示されるコマンドデータ５３は、広い方の表示領域５４内の下側に、狭い方の表示領域４６を追加するとともに、広い方の表示領域５４の画像に、狭い方の表示領域４６の画像が上書きされた形態で表示するオーバラップ表示を行うように指示するものである。【０１００】  本実施形態における携帯通信端末１２の制御部３１が行う処理動作は、図６に示される処理動作と比べて、ステップＳ２３にて表示領域の追加要求を取得したか否かを判断する点と、ステップＳ２４にて追加要求を取得した場合には、狭い方の表示領域４６を追加する点とが異なり、その他の処理動作は同様である。【０１０１】  図１５（ａ）・（ｂ）は、それぞれ、上記狭い方の表示領域４６を追加する工程の前後における表示例を示している。同図（ａ）に示されるように、表示領域の追加前には、広い方の表示領域５４にＴＶ番組の映像が表示されているとする。このとき、利用者が番組関連情報の表示を追加したいと考えて、追加ボタン４７ｃを選択すると、同図（ｂ）に示されるように、広い方の表示領域５４内の下側に、狭い方の表示領域４６が追加されて、ＴＶ番組の映像に番組関連情報がオーバラップ表示される。【０１０２】  したがって、本実施形態のサーバ１１が提供する表示用テンプレートを用いて、携帯通信端末１２の利用者が追加ボタン４７ｃを選択することにより、新たな表示領域４６を追加することができる。その結果、携帯通信端末１２の利用者は、上記表示用テンプレートにより、所望するタイミングで新たなコンテンツを表示させることができ、コンテンツの表示レイアウトを変更することができる。図１５の例では、携帯通信端末１２の利用者は、放送中のＴＶ番組を見ているときに、所望のタイミングで、ＴＶ番組の関連情報も見ることができるようになる。【０１０３】  なお、本実施形態では、広い方の表示領域５４の画像に、狭い方の表示領域４６の画像が上書きされた形態で表示するオーバラップ表示を行っているが、広い方の表示領域���４から狭い方の表示領域４６を除いた領域に合わせて、広い方の表示領域５４の画像を縮小して表示するタイリング表示を行ってもよい。これには、図１４に示されるコマンドデータ５３において、「ａｒｅａ−ａｄｄ−ｏｖｅｒｌａｐ」との記述を「ａｒｅａ−ａｄｄ−ｔｉｌｉｎｇ」との記述に変更すればよい。【０１０４】  また、追加した表示領域４６にＷｅｂページを表示させるなどの方法により、追加した表示領域４６内でユーザの操作を受け付けることもできる。【０１０５】  また、追加ボタン４７ｃで表示領域を追加する前に、追加される表示領域４６に表示される内容をユーザが把握できることが望ましい場合が考えられる。そこで、追加ボタン４７ｃに、例えば「関連情報追加」など、上記表示される内容を簡潔に示す情報を表示することも可能である。【０１０６】  〔実施の形態６〕
次に、本発明のさらに別の実施形態について、図１６を参照しつつ説明する。本実施形態の通信ネットワークシステムは、図１４および図１５に示される通信ネットワークシステム１０に比べて、サーバ１１から所定の変更指示信号を取得すると、或る表示領域内に新たな表示領域が追加される点が異なり、その他の構成および処理動作は同様である。なお、上記実施形態で説明した構成および処理動作と同様の構成および処理動作には同一の符号を付して、その説明を省略する。【０１０７】  図１６は、本実施形態において、テンプレート合成部２６にて合成された表示用テンプレートの一例を示している。図示の表示用テンプレートは、図１４に示される表示用テンプレートに比べて、テンプレート記憶部２３から取得する表示領域データが異なり、その他のデータは同様である。図１６に示される表示領域データ５６は、図１４に示される表示領域データ５２に比べて、コマンドデータ５３を実行するトリガを示す＜ｉｎｐｕｔ  ｔｙｐｅ＞タグの内容が異なるのみであり、その他の内容は同様である。【０１０８】  図１６に示される＜ｉｎｐｕｔ  ｔｙｐｅ＞タグは、サーバ１１から所定の変更指示信号を取得することを示している。また、図示の＜ｉｎｐｕｔ  ｔｙｐｅ＞タグにおいて、選択ボタン４７の表示を指示する「ｖａｌｕｅ＝””」が省略されている。このため、図示の表示用テンプレートを用いて携帯通信端末１２の制御部３１が表示部３３を制御する場合、表示部３３の表示画面には、図１５（ａ）・（ｂ）に示される画像から選択ボタン４７が省略された画像が表示されることになる。【０１０９】  従って、本実施形態のサーバ１１が提供する表示用テンプレートを用いて、携帯通信端末１２が、サーバ１１から所定の変更指示信号を取得することにより、新たな表示領域４６を追加することができる。その結果、サーバ１１の側で、携帯通信端末１２に表示するコンテンツの表示レイアウトを変更することができる。【０１１０】  例えば、図１５に示されるように、携帯通信端末１２にて広い方の表示領域５４に表示するコンテンツとしてＴＶ番組の映像が指定され、狭い方の表示領域４６に表示するコンテンツとして、番組関連情報が指定されているとする。ここで、番組関連情報の例としては、ＴＶ番組に関連する商品のショッピング情報や、ＴＶ番組と連携したアンケートなどの投票情報が挙げられる。【０１１１】  このとき、サーバ１１が所定の変更指示信号を携帯通信端末１２に送信することにより、携帯通信端末１２ではＴＶ番組の映像に番組関連情報が追加されて表示される。その結果、サーバ１１は、放送中のＴＶ番組に対応する番組関連情報を適切なタイミングで表示させることができる。【０１１２】  なお、本実施形態では、オーバラップ表示を行っているが、図１６に示されるコマンドデータ５３において、「ａｒｅａ−ａｄｄ−ｏｖｅｒｌａｐ」との記述を「ａｒｅａ−ａｄｄ−ｔｉｌｉｎｇ」との記述に変更することにより、タイリング表示を行うこともできる。【０１１３】  〔実施の形態７〕
次に、本発明のさらに別の実施形態について、図１７および図１８を参照しつつ説明する。本実施形態の通信ネットワークシステムは、図１４および図１５に示される通信ネットワークシステム１０に比べて、利用者が「削除」ボタンを押すと、或る表示領域内に存在する表示領域であって、変更指示情報で指定される表示領域が削除される点が異なり、その他の構成および処理動作は同様である。なお、上記実施形態で説明した構成および処理動作と同様の構成および処理動作には同一の符号を付して、その説明を省略する。【０１１４】  図１７は、本実施形態において、テンプレート合成部２６にて合成された表示用テンプレートの一例を示している。図示の表示用テンプレートは、図１４に示される表示用テンプレートに比べて、テンプレート記憶部２３から取得する表示領域データと、コマンド記憶部２４から取得するコマンドデータとが異なり、その他のデータは同様である。【０１１５】  図１７に示される表示領域データ５７は、図１４に示される表示領域データ４０に比べて、選択ボタン４７が削除ボタン４７ｄである点が異なり、その他の内容は同様である。また、図１７に示されるコマンドデータ５８は、広い方の表示領域５４内の下側に存在する狭い方の表示領域４６を削除するように指示するものである。【０１１６】  本実施形態における携帯通信端末１２の制御部３１が行う処理動作は、図６に示される処理動作と比べて、ステップＳ２３にて表示領域の削除要求を取得したか否かを判断する点と、ステップＳ２４にて削除要求を取得した場合には、狭い方の表示領域４６を削除する点とが異なり、その他の処理動作は同様である。【０１１７】  図１８（ａ）・（ｂ）は、それぞれ、上記狭い方の表示領域４６を削除する工程の前後における表示例を示している。同図（ａ）に示されるように、表示領域の削除前には、広い方の表示領域５４にＴＶ番組の映像が表示され、狭い方の表示領域４６に番組関連情報が表示されているとする。このとき、利用者が番組関連情報の表示を削除したいと考えて、削除ボタン４７ｄを選択すると、同図（ｂ）に示されるように、狭い方の表示領域４６が削除されて、広い方の表示領域５４にＴＶ番組の映像が表示される。【０１１８】  なお、表示領域の削除前の表示が、広い方の表示領域５４の画像に、狭い方の表示領域４６の画像が上書きされた形態で表示するオーバラップ表示である場合、表示領域の削除後には、広い方の表示領域５４にＴＶ番組の映像をそのまま表示すればよい。この場合、狭い方の表示領域４６で隠れていた部分が表示されることになる。【０１１９】  一方、表示領域の削除前の表示が、広い方の表示領域５４から狭い方の表示領域４６を除いた領域に合わせて、ＴＶ番組の映像を縮小して表示するタイリング表示である場合、表示領域の削除後には、広い方の表示領域５４に合わせて、ＴＶ番組の映像を拡大して、或いは元に戻して表示すればよい。【０１２０】  したがって、本実施形態のサーバ１１が提供する表示用テンプレートを用いて、携帯通信端末１２の利用者が削除ボタン４７ｄを選択することにより、表示領域４６を削除することができる。その結果、携帯通信端末１２の利用者は、上記表示用テンプレートにより、���望するタイミングで複数のコンテンツの一部を非表示とすることができ、コンテンツの表示レイアウトを変更することができる。図１８の例では、携帯通信端末１２の利用者は、放送中のＴＶ番組とその関連情報とを見ているときに、所望のタイミングで、ＴＶ番組の関連情報を消すことができる。【０１２１】  〔実施の形態８〕
次に、本発明のさらに別の実施形態について、図１９を参照しつつ説明する。本実施形態の通信ネットワークシステムは、図１７および図１８に示される通信ネットワークシステム１０に比べて、サーバ１１から所定の変更指示信号を取得すると、或る表示領域内に存在する表示領域であって、変更指示情報で指定される表示領域が削除される点が異なり、その他の構成および処理動作は同様である。なお、上記実施形態で説明した構成および処理動作と同様の構成および処理動作には同一の符号を付して、その説明を省略する。【０１２２】  図１９は、本実施形態において、テンプレート合成部２６にて合成された表示用テンプレートの一例を示している。図示の表示用テンプレートは、図１７に示される表示用テンプレートに比べて、テンプレート記憶部２３から取得する表示領域データが異なり、その他のデータは同様である。図１９に示される表示領域データ５９は、図１７に示される表示領域データ５６に比べて、コマンドデータ５８を実行するトリガを示す＜ｉｎｐｕｔ  ｔｙｐｅ＞タグの内容が異なるのみであり、その他の内容は同様である。【０１２３】  図１９に示される＜ｉｎｐｕｔ  ｔｙｐｅ＞タグは、サーバ１１から所定の変更指示信号を取得することを示している。また、図示の＜ｉｎｐｕｔ  ｔｙｐｅ＞タグにおいて、選択ボタン４７の表示を指示する「ｖａｌｕｅ＝””」が省略されている。このため、図示の表示用テンプレートを用いて携帯通信端末１２の制御部３１が表示部３３を制御する場合、表示部３３の表示画面には、図１８（ａ）・（ｂ）に示される画像から選択ボタン４７が省略された画像が表示されることになる。【０１２４】  従って、本実施形態のサーバ１１が提供する表示用テンプレートを用いて、携帯通信端末１２が、サーバ１１から所定の変更指示信号を取得することにより、表示領域４６を削除することができる。その結果、サーバ１１の側で、携帯通信端末１２に表示するコンテンツの表示レイアウトを変更することができる。【０１２５】  例えば、図１８に示されるように、携帯通信端末１２にて広い方の表示領域５４に表示するコンテンツとしてＴＶ番組の映像が指定され、狭い方の表示領域４６に表示するコンテンツとして、上述の番組関連情報が指定されているとする。【０１２６】  このとき、サーバ１１が所定の変更指示信号を携帯通信端末１２に送信することにより、携帯通信端末１２ではＴＶ番組の映像のみが表示される。その結果、サーバ１１は、放送中のＴＶ番組に対応する番組関連情報を適切なタイミングで非表示とすることができる。【０１２７】  〔実施の形態９〕
次に、本発明のさらに別の実施形態について、図２０〜図２３を参照しつつ説明する。本実施形態の通信ネットワークシステムは、図１４および図１５に示される通信ネットワークシステム１０に比べて、携帯通信端末１２にて或るアプリケーションソフトが動作すると、或る表示領域内に新たな表示領域が追加されてタイリング表示される点が異なり、その他の構成および処理動作は同様である。なお、上記実施形態で説明した構成および処理動作と同様の構成および処理動作には同一の符号を付して、その説明を省略する。【０１２８】  図２０は、本実施形態において、テンプレート合成部２６にて合成された表示用テンプレートの一例を示している。表示用テンプレートは、テンプレート記憶部２３から取得した原テンプレートに含まれる表示領域データ６０と、コマンド記憶部２４から取得したコマンドデータ６１と、コンテンツ記憶部２５から取得したコンテンツ指示データ６２とを含んでいる。【０１２９】  図２０に示される表示領域データ６０は、図１６に示される表示領域データ５６に比べて、コマンドデータ６１を実行するトリガを示す＜ｉｎｐｕｔ  ｔｙｐｅ＞タグの内容が異なり、その他の内容は同様である。【０１３０】  図２０に示される＜ｉｎｐｕｔ  ｔｙｐｅ＞タグは、アプリケーションソフトが動作することにより取得することを示している。また、＜ｉｎｐｕｔ  ｔｙｐｅ＞タグにおける「ａｐｐｌｉｃａｔｉｏｎ＝””」により、上記アプリケーションソフトが指定される。図示の例で指定されるアプリケーションソフトは、メールソフト（ｍａｉｌ）である。【０１３１】  また、図示の＜ｉｎｐｕｔ  ｔｙｐｅ＞タグにおいて、選択ボタン４７の表示を指示する「ｖａｌｕｅ＝””」が省略されている。このため、図示の表示用テンプレートを用いて携帯通信端末１２の制御部３１が表示部３３を制御する場合、図２１（ａ）・（ｂ）に示される表示部３３の表示画面では、選択ボタン４７が省略されることになる。【０１３２】  図２０に示されるコマンドデータ６１は、図１６に示されるコマンドデータ５３に比べて、タイリング表示を行う点が異なり、その他の内容は同様である。また、図２０に示されるコンテンツ指示データ６２は、図１６に示されるコンテンツ指示データ４２に比べて、狭い方の表示領域４６に表示するコンテンツの指定位置が、例えば受信したメールのタイトルや本文などのような、メールソフト内の表示すべき情報の位置を示すポインタである点が異なり、その他の内容は同様である。【０１３３】  本実施形態における携帯通信端末１２の制御部３１が行う処理動作は、図６に示される処理動作と比べて、ステップＳ２３にて電子メールを取得してメールソフトが動作したか否かを判断する点と、ステップＳ２４にてメールソフトが動作した場合には、狭い方の表示領域４６を追加する点とが異なり、その他の処理動作は同様である。【０１３４】  図２１（ａ）・（ｂ）は、それぞれ、上記狭い方の表示領域４６を追加する工程の前後における表示例を示している。同図（ａ）に示されるように、表示領域の追加前には、広い方の表示領域５４にＴＶ番組の映像が表示されているとする。このとき、携帯通信端末１２が電子メールを取得すると、メールソ��トが動作し、同図（ｂ）に示されるように、広い方の表示領域５４内の下側に、狭い方の表示領域４６が追加されて、ＴＶ番組の映像に電子メールの内容がタイリング表示される。なお、電子メールの内容の例としては、タイトル、発信者、本文などが挙げられる。【０１３５】  図２２は、本実施形態において、テンプレート合成部２６にて合成された表示用テンプレートの他の例を示している。図２２に示される表示用テンプレートは、図２０に示される表示用テンプレートに比べて、アラームソフトが動作すると狭い方の表示領地機４６が追加される点が異なり、その他は同様である。【０１３６】  図２２に示される表示領域データ６３は、図２０に示される表示領域データ６０に比べて、コマンドデータ６１を実行するトリガを示す＜ｉｎｐｕｔ  ｔｙｐｅ＞タグにおいて指定されるアプリケーションソフトが、アラームソフト（ａｌａｒｍ）である点が異なり、その他の内容は同様である。また、図２２に示されるコンテンツ指示データ６４は、図２０に示されるコンテンツ指示データ６２に比べて、狭い方の表示領域４６に表示するコンテンツの指定位置が、例えばアラームの内容などのような、アラームソフト内の表示すべき情報の位置を示すポインタである点が異なり、その他の内容は同様である。【０１３７】  図２３（ａ）・（ｂ）は、それぞれ、上記狭い方の表示領域４６を追加する工程の前後における表示例を示している。同図（ａ）に示されるように、表示領域の追加前には、広い方の表示領域５４にＴＶ番組の映像が表示されているとする。このとき、携帯通信端末１２にてアラームソフトが動作すると、同図（ｂ）に示されるように、広い方の表示領域５４内の下側に、狭い方の表示領域４６が追加されて、ＴＶ番組の映像にアラームの内容がタイリング表示される。なお、アラームの内容の例としては、発生時刻、コメントなどが挙げられる。【０１３８】  従って、本実施形態のサーバ１１が提供する表示用テンプレートを用いると、携帯通信端末１２が、アプリケーションソフトの動作をトリガとして、新たな表示領域４６を追加することができる。その結果、表示画面のほぼ全面にコンテンツを表示しているときに、アプリケーションソフトが動作して携帯通信端末１２の状態が変化したことを見逃すことを防止できる。【０１３９】  また、図２０に示される表示用テンプレートを利用した場合、サーバ１１が、狭い方の表示領域４６に表示するコンテンツの指定情報を含む電子メールを携帯通信端末１２に送信することにより、サーバ１１からの指示に基づいて新たな表示領域４６を追加することができる。すなわち、図１６に示される通信ネットワークシステムにてサーバ１１が送信する変更指示信号を、上記電子メールに代替することができる。【０１４０】  なお、本実施形態では、アプリケーションソフトの一例として、メールソフト、アラームソフトを挙げたが、スケジューラなどの他のアプリケーションソフトにも適用可能である。【０１４１】  〔実施の形態１０〕
次に、本発明のさらに別の実施形態について、図２４および図２５を参照しつつ説明する。本実施形態の通信ネットワークシステムは、図１６に示される通信ネットワークシステム１０に比べて、サーバ１１から所定の変更指示信号を取得すると、或る表示領域内に新たな表示領域が追加されてタイリング表示されるとともに、携帯通信端末１２にて或るアプリケーションソフトが動作すると、或る表示領域内に別の新たな表示領域が追加されてタイリング表示される点が異なり、その他の構成および処理動作は同様である。なお、上記実施形態で説明した構成および処理動作と同様の構成および処理動作には同一の符号を付して、その説明を省略する。【０１４２】  図２４は、本実施形態において、テンプレート合成部２６にて合成された表示用テンプレートの一例を示している。表示用テンプレートは、テンプレート記憶部２３から取得した原テンプレートに含まれる表示領域データ７０と、コマンド記憶部２４から取得したコマンドデータ７１と、コンテンツ記憶部２５から取得したコンテンツ指示データ７２とを含んでいる。【０１４３】  図２４に示される表示領域データ７０は、図２０に示される表示領域データ６０に比べて、広い方の表示領域５４内の右側に、新たな表示領域７３（幅８０ドット、高さ２６０ドット、ｉｄ＝”０３”）が定義されている点と、コマンドデータ７１を実行するトリガを示す＜ｉｎｐｕｔ  ｔｙｐｅ＞タグが、追加される表示領域、すなわち狭い方の表示領域４６および新たな表示領域７３のそれぞれに設けられている点が異なり、その他の内容は同様である。なお、以下では、広い方の表示領域５４を「第１の表示領域５４」と称し、狭い方の表示領域４６を「第２の表示領域４６」と称し、新たな表示領域７３を「第３の表示領域７３」と称する。【０１４４】  図２４に示されるコマンドデータ７１は、図２０に示されるコマンドデータ６１に比べて、第１の表示領域５４に対し、第２の表示領域４６または第３の表示領域７３を追加する点が異なり、その他の内容は同様である。また、図２４に示されるコンテンツ指示データ７２は、図２０に示されるコンテンツ指示データ６２に比べて、第３の表示領域７３に表示するコンテンツを指定する情報が追加されている点が異なり、その他の内容は同様である。【０１４５】  本実施形態における携帯通信端末１２の制御部３１が行う処理動作は、図６に示される処理動作と比べて、ステップＳ２３において、電子メールを取得してメールソフトが動作したか否かと、サーバ１１から所定の変更指示信号を取得したか否かとを判断する点と、ステップＳ２４において、メールソフトが動作した場合には、第２の表示領域４６を追加し、サーバ１１から所定の変更指示信号を取得した場合には、第３の表示領域７３を追加する点とが異なり、その他の処理動作は同様である。【０１４６】  図２５（ａ）・（ｂ）は、それぞれ、第２の表示領域４６および／または第３の表示領域７３を追加する工程の前後における表示例を示している。同図（ａ）に示されるように、表示領域の追加前には、第１の表示領域５４にＴＶ番組の映像が表示されている。【０１４７】  このとき、携帯通信端末１２が電子メールを取得すると、メールソフト���動作し、図２５（ｂ）に示されるように、第１の表示領域５４内の下側に、第２の表示領域４６が追加されて、ＴＶ番組の映像に電子メールの内容がタイリング表示される。また、サーバ１１から所定の変更指示信号を取得すると、同図（ｂ）に示されるように、第１の表示領域５４内の右側に、第３の表示領域７３が追加されて、ＴＶ番組の映像に天気予報の内容がタイリング表示される。【０１４８】  従って、本実施形態のサーバ１１が提供する表示用テンプレートを用いると、携帯通信端末１２が、所定のトリガにより２つの表示領域４６・７３が追加されて表示領域を３つとして、３つのコンテンツをタイリング表示することができる。なお、本実施形態と同様にすれば、表示領域を４つ以上にできることは明らかである。【０１４９】  なお、上記の天気予報のように時間とともに変化するコンテンツの場合、コンテンツを更新できることが望ましい。これは、表示用テンプレートサーバ１１が、更新すべきリンク先の情報を携帯通信端末１２に送信する一方、携帯通信端末１２が、受信したリンク先の情報に基づいて、表示用テンプレートのコンテンツ指示データ７２におけるデータソースのリンク先を更新することにより実現できる。【０１５０】  〔実施の形態１１〕
次に、本発明のさらに別の実施形態について、図２６および図２７を参照しつつ説明する。本実施形態の通信ネットワークシステムは、図２４および図２５に示される通信ネットワークシステム１０に比べて、利用者が「削除」ボタンを押すと第２の表示領域４６が削除される処理と、サーバ１１から所定の変更指示信号を取得すると第３の表示領域７３が削除される処理とが追加される点が異なり、その他の構成および処理動作は同様である。なお、上記実施形態で説明した構成および処理動作と同様の構成および処理動作には同一の符号を付して、その説明を省略する。【０１５１】  図２６は、本実施形態において、テンプレート合成部２６にて合成された表示用テンプレートの一例を示している。図示の表示用テンプレートは、図２４に示される表示用テンプレートに比べて、テンプレート記憶部２３から取得する表示領域データと、コマンド記憶部２４から取得するコマンドデータ７１とが異なり、その他のデータは同様である。【０１５２】  図２６に示されるコマンドデータ７５は、図２４に示されるコマンドデータ７１に比べて、３つの処理を含んでいる。第１の処理（ａｃｔｉｏｎ１）は、図２４に示されるコマンドデータ７１と同様に、第１の表示領域５４に対し、第２の表示領域４６または第３の表示領域４６を追加する処理である。また、第２の処理（ａｃｔｉｏｎ２）は、第２の表示領域４６を削除する処理である。そして、第３の処理（ａｃｔｉｏｎ３）は、第３の表示領域７３を削除する処理である。【０１５３】  図２６に示される表示領域データ７４は、図２４に示される表示領域データ７０に比べて、コマンドデータ７５を実行するトリガを示す＜ｉｎｐｕｔ  ｔｙｐｅ＞タグが異なり、その他は同様である。図示の表示領域データ７４では、＜ｉｎｐｕｔ  ｔｙｐｅ＞タグが第２の表示領域４６および第３の表示領域７３ごとに２つずつ含んでいる。また、＜ｉｎｐｕｔ  ｔｙｐｅ＞タグには、コマンドデータ７５内の何れの処理を行うかを示す「ａｃｉｏｎ＝””」が含まれる。【０１５４】  具体的には、第２の表示領域４６（ｉｄ＝”０２”）に関しては、メールソフトが動作するとコマンドデータ７５の第１の処理を行うことを示す＜ｉｎｐｕｔ  ｔｙｐｅ＞タグと、「削除」ボタンが押されるとコマンドデータ７５の第２の処理を行うことを示す＜ｉｎｐｕｔ  ｔｙｐｅ＞タグとが含まれる。また、第３の表示領域７３（ｉｄ＝”０３”）に関しては、サーバ１１から追加を示す変更指示信号（ｖａｌｕｅ＝”追加”、以下「追加指示信号」と称する。）を受信するとコマンドデータ７５の第１の処理を行うことを示す＜ｉｎｐｕｔ  ｔｙｐｅ＞タグと、サーバ１１から削除を示す変更指示信号（ｖａｌｕｅ＝”削除”、以下「削除指示信号」と称する。）を受信するとコマンドデータ７５の第３の処理を行うことを示す＜ｉｎｐｕｔ  ｔｙｐｅ＞タグとが含まれる。【０１５５】  本実施形態における携帯通信端末１２の制御部３１が行う処理動作は、図６に示される処理動作と比べて、ステップＳ２３・Ｓ２４の処理動作が異なり、その他の処理動作は同様である。【０１５６】  本実施形態では、ステップＳ２３において、電子メールを取得してメールソフトが動作したか否かと、削���ボタンが押されたか否かと、サーバ１１から追加指示信号を取得したか否かと、サーバ１１から削除指示信号を取得したか否かとを判断している。また、ステップＳ２４において、メールソフトが動作した場合に第２の表示領域４６を追加し、削除ボタンが押された場合に第２の表示領域４６を削除し、追加指示信号を取得した場合に第３の表示領域７３を追加し、削除指示信号を取得した場合に第３の表示領域７３を削除している。【０１５７】  図２７は、携帯通信端末１２の表示部３３における表示画像の変遷の一例を示している。同図の左上に示されるように、表示領域の追加前には、第１の表示領域５４にＴＶ番組の映像が表示されている状態である。このとき、携帯通信端末１２が電子メールを取得してメールソフトが動作すると、同図の右上に示されるように、第１の表示領域５４内の下側に、第２の表示領域４６が追加されて、ＴＶ番組の映像に電子メールの内容がタイリング表示される（ａｃｔｉｏｎ１）。また、上記の状態で、サーバ１１から追加指示信号を取得すると、同図の左下に示されるように、第１の表示領域５４内の右側に、第３の表示領域７３が追加されて、ＴＶ番組の映像に天気予報の内容がタイリング表示される（ａｃｔｉｏｎ１）。【０１５８】  また、同図の右上に示されるように、第１および第２の表示領域５４・４６の表示が行われている状態で、利用者が削除ボタン４７ｄを押すと、同図の左上に示されるように、第２の表示領域４６が削除され、ＴＶ番組の映像が元のサイズに拡大表示される（ａｃｔｉｏｎ２）。また、上記の状態で、サーバ１１から追加指示信号を取得すると、同図の右下に示されるように、第１の表示領域５４内の右側に、第３の表示領域７３が追加されて、ＴＶ番組の映像に天気予報の内容がタイリング表示される（ａｃｔｉｏｎ１）。これにより、第１〜第３の表示領域５４・４６・７３に別々のコンテンツが表示されることになる。【０１５９】  また、同図の左下に示されるように、第１および第３の表示領域５４・７３が表示されている状態で、サーバ１１から削除指示信号を取得すると、同図の左上に示されるように、第３の表示領域７３が削除され、ＴＶ番組の映像が元のサイズに拡大表示される（ａｃｔｉｏｎ３）。また、上記の状態で、携帯通信端末１２が電子メールを取得すると、メールソフトが動作し、同図の右下に示されるように、第１および第３の表示領域５４・７３内の下側に、第２の表示領域４６が追加されて、ＴＶ番組および天気予報の映像に電子メールの内容がタイリング表示される（ａｃｔｉｏｎ１）。これにより、第１〜第３の表示領域５４・４６・７３に別々のコンテンツが表示されることになる。【０１６０】  また、同図の右下に示されるように、第１〜第３の表示領域５４・４６・７３が表示されている状態で、利用者が削除ボタン４７ｄを押すと、同図の左下に示されるように、第２の表示領域４６が削除される一方、第１および第３の表示領域５４・７３が拡大する分だけＴＶ番組および天気予報の映像が拡大表示される（ａｃｔｉｏｎ２）。また、上記の状態で、サーバ１１から削除指示信号を取得すると、同図の右上に示されるように、第３の表示領域７３が削除される一方、第１の表示領域５４が��大する分だけＴＶ番組の映像が拡大表示される（ａｃｔｉｏｎ３）。【０１６１】  したがって、本実施形態のサーバ１１が提供する表示用テンプレートを用いることにより、所定のトリガに基づいて表示領域を追加したり削除したりすることができ、複数のコンテンツの一部を表示したり非表示としたりすることができる。【０１６２】  〔実施の形態１２〕
次に、本発明のさらに別の実施形態について、図２８を参照しつつ説明する。本実施形態の通信ネットワークシステムは、図１〜図７に示される通信ネットワークシステム１０に比べて、表示用テンプレートサーバ１１の変更指示部２７が別のサーバに設けられる点が異なり、その他の構成および処理動作は同様である。なお、上記実施形態で説明した構成および処理動作と同様の構成および処理動作には同一の符号を付して、その説明を省略する。【０１６３】  図２８は、本実施形態の通信ネットワークシステム８０の概略構成を示している。図示の通信ネットワークシステム８０は、図１に示される通信ネットワークシステム１０に比べて、変更指示サーバ８２が追加されている点が異なり、その他の構成は同様である。【０１６４】  変更指示サーバ８２は、上記所定の変更指示信号を通信ネットワーク１３を介して携帯通信端末１２に送信するものである。図２８に示されるように、変更指示サーバ８２は、上記所定の変更指示信号を生成する変更指示部８３と、変更指示部８３が生成した変更指示信号を、データ通信に適した形式に変換し、変換した信号を通信ネットワーク１３に送信する通信部８４とを備える構成である。【０１６５】  したがって、本実施形態では、表示用テンプレートサーバ１１とは別の変更指示サーバ８２が、上記所定の変更指示信号を携帯通信端末１２に送信している。このように、上記所定の変更指示信号は、表示用テンプレートを提供するサーバ１１から携帯通信端末１２に送信することもできるし、別のサーバ８２から携帯通信端末１２に送信することもできる。【０１６６】  なお、本実施形態では、表示用テンプレートサーバ１１および携帯通信端末１２の間の通信ネットワークと、変更指示サーバ８２および携帯通信端末１２の間の通信ネットワークとを同じとしているが、別々にすることもできる。【０１６７】  〔実施の形態１３〕
次に、本発明のさらに別の実施形態について、図２９を参照しつつ説明する。本実施形態の通信ネットワークシステムは、図２８に示される通信ネットワークシステム８０に比べて、表示用テンプレートサーバ１１のテンプレート記憶部２３およびテンプレート合成部２６が、携帯通信端末１２に設けられる点と、表示用テンプレートサーバ１１に代えて、コマンドサーバおよびコンテンツサーバが設けられている点とが異なり、その他の構成および処理動作は同様である。なお、上記実施形態で説明した構成および処理動作と同様の構成および処理動作には同一の符号を付して、その説明を省略する。【０１６８】  図２９は、本実施形態の通信ネットワークシステム９０の概略構成を示している。図示の通信ネットワークシステム９０は、図２８に示される通信ネットワークシステム１０に比べて、表示用テンプレートサーバ１１の代わりに、コマンドサーバ８５およびコンテンツサーバ９１を備えている。【０１６９】  コマンドサーバ８５は、携帯通信端末１２の表示画面において、１または複数の表示領域の変更を指示する各種の変更指示情報を携帯通信端末１２に提供するものである。図２９に示されるように、コマンドサーバ８５は、通信部８６、制御部８７、およびコマンド記憶部８８を備える構成である。【０１７０】  通信部８６は、制御部８７から受信したデータを、データ通信に適した形式に変換し、変換した信号を通信ネットワーク１３に送信するものである。また、通信部８６は、通信ネットワーク１３から受信した信号を元の形式に変換し、変換したデータを制御部８７に送信するものである。【０１７１】  コマンド記憶部８８は、図１に示されるコマンド記憶部２４と同様に、各種の上記変更指示情報を記憶している。【０１７２】  制御部８７は、コマンドサーバ８５における各種構成を統括的に制御するものである。制御部８７の機能は、例えばＲＡＭやフラッシュメモリなどの記憶装置に記憶されたプログラムをＣＰＵが実行することによって実現される。本実施形態では、制御部８７は、携帯通信端末１２から通信ネットワーク１３および通信部８６を介して取得した指示に基づき、コマンド記憶部８８から変更指示情報を読み出して、通信部８６および通信ネットワーク１３を介して携帯通信端末１２に送信するものである。【０１７３】  一方、コンテンツサーバ９１は、上記表示領域に表示するコンテンツを指示するコンテンツ指示情報を携帯通信端末１２に提供するものである。図２９に示されるように、コンテンツサーバ９１は、通信部９２、制御部９３、およびコンテンツ記憶部９４を備える構成である。【０１７４】  通信部９２は、制御部９３から受信したデータを、データ通信に適した形式に変換し、変換した信号を通信ネットワーク１３に送信するものである。また、通信部９２は、通信ネットワーク１３から受信した信号を元の形式に変換し、変換したデータを制御部９３に送信するものである。【０１７５】  コンテンツ記憶部９４は、図１に示されるコンテンツ記憶部２５と同様に、各種の上記コンテンツ指示情報を記憶している。なお、コンテンツ記憶部９４は、携帯通信端末１２に提供する画像データ、音声データ、文書データなどのコンテンツを記憶しても��い。【０１７６】  制御部９３は、コンテンツサーバ９１における各種構成を統括的に制御するものである。制御部９３の機能は、例えばＲＡＭやフラッシュメモリなどの記憶装置に記憶されたプログラムをＣＰＵが実行することによって実現される。本実施形態では、制御部９３は、携帯通信端末１２から通信ネットワーク１３および通信部９２を介して取得した指示に基づき、コンテンツ記憶部９４からコンテンツ指示情報を読み出して、通信部９２および通信ネットワーク１３を介して携帯通信端末１２に送信するものである。【０１７７】  また、図２９に示される表示用テンプレートサーバ１１は、図１に示される表示用テンプレートサーバ１１に比べて、テンプレート記憶部２３、コンテンツ記憶部２５、およびテンプレート合成部２６が省略されている点が異なり、その他の構成は同様である。【０１７８】  また、図２９に示される携帯通信端末１２は、図２に示される携帯通信端末１２に比べて、テンプレート記憶部９５（記憶手段）が追加されている点と、制御部３１にテンプレート合成部９６（取得手段、生成手段）が追加されている点とが異なり、その他の構成は同様である。【０１７９】  テンプレート記憶部９５は、図１に示されるテンプレート記憶部２３と同様に、上記表示領域を指定する表示領域情報を含む各種の原テンプレートを記憶している。【０１８０】  テンプレート合成部９６は、テンプレート記憶部９５から原テンプレートを取得し、表示用テンプレートサーバ１１に指示してコマンド記憶部２４から変更指示情報を取得し、かつ、コンテンツサーバ９１に指示してコンテンツ記憶部９４からコンテンツ指示情報を取得している。そして、テンプレート合成部９６は、テンプレート記憶部９５から取得した原テンプレートに対し、コマンド記憶部２４から取得した変更指示情報と、コンテンツ記憶部９４から取得したコンテンツ指示情報とを合成して、合成したテンプレートを表示用テンプレートとしている。【０１８１】  したがって、本実施形態では、携帯通信端末１２が、原テンプレートに対して変更指示情報とコンテンツ指示情報とを合成することにより、表示用テンプレートを作成している。このように、テンプレートの合成は、表示用テンプレートサーバ１１で行うこともできるし、携帯通信端末１２で行うこともできるし、さらには別のノードで行うこともできる。【０１８２】  なお、本実施形態では、携帯通信端末１２のテンプレート記憶部９５に各種の原テンプレートを記憶しているが、図１に示されるように、表示用テンプレートサーバ１１のテンプレート記憶部２３に各種の原テンプレートを記憶しておき、携帯通信端末１２が表示用テンプレートサーバ１１から所要の原テンプレートを取得してテンプレート記憶部９５に保存する形態であってもよい。【０１８３】  さらに、携帯通信端末１２がコンテンツ記憶部を備えており、表示用テンプレートサーバ１１が、テンプレート記憶部２３から取得した原テンプレートに対し、コマンド記憶部２４から取得した変更指示情報を合成して携帯通信端末１２に送信する一方、携帯通信端末１２のテンプレート合成部９６が、表示用テンプレートサーバ１１からの合成したテンプレートに対し、コンテンツ記憶部から���得したコンテンツ指示情報を合成して表示用テンプレートを作成することもできる。【０１８４】  〔実施の形態１４〕
次に、本発明の他の実施形態について、図３０〜図３２を参照しつつ説明する。本実施形態の通信ネットワークシステムは、図２９に示される通信ネットワークシステム９０に比べて、携帯通信端末１２の制御部３１にテンプレート選択部（フォーマット変更手段）９７が追加される点が異なり、その他の構成および処理動作は同様である。なお、上記実施形態で説明した構成および処理動作と同様の構成および処理動作には同一の符号を付して、その説明を省略する。【０１８５】  図３０は、本実施形態の通信ネットワークシステム９０における携帯通信端末１２の概略構成を示している。図示の携帯通信端末１２は、上述のように、図２９に示される携帯通信端末１２に比べて、制御部３１にテンプレート選択部９７が追加されている。【０１８６】  テンプレート選択部９７は、テンプレート記憶部９５に記憶された複数の原テンプレートの中から、操作部３２の操作に基づいて原テンプレートを選択するものである。また、本実施形態におけるテンプレート合成部９６は、テンプレート選択部９７が選択した原テンプレートに対し、表示用テンプレートサーバ１１のコマンド記憶部２４から取得した変更指示情報と、コンテンツサーバ９１のコンテンツ記憶部９４から取得したコンテンツ指示情報とを合成し、合成したテンプレートを表示用テンプレートとするものである。【０１８７】  図３１は、上記構成の携帯通信端末１２の制御部３１が行う処理動作を示している。図示のように、まず、テンプレート選択部９７が原テンプレートを選択して、テンプレート合成部９６が表示用テンプレートを作成する（Ｓ４０）。次に、表示用テンプレートに含まれるコンテンツの再生開始条件に合致するまで待機する（Ｓ２１）。【０１８８】  再生開始条件に合致すると、制御部３１は、コンテンツを再生して、表示部３３に表示する（Ｓ２２）。次に、利用者が操作部３２を操作して、テンプレートの入替えを指示された場合には（Ｓ４１にてＹＥＳ）、テンプレート選択部９７が、入れ替えるべき原テンプレートを選択し、テンプレート合成部９６が表示用テンプレートを新たに作成して、表示用テンプレートを入れ替える（Ｓ４２）。次に、制御部３１は、表示領域の変更要求を取得した場合には（Ｓ４３にてＹＥＳ）、表示領域の変更を実行する（Ｓ４４）。【０１８９】  次に、コンテンツの再生終了条件に合致するか否かを判断する（Ｓ２５）。再生終了条件に合致しない場合には（ステップＳ２５にてＮＯ）、ステップＳ２２に戻って上記処理動作を繰り返す。一方、再生終了条件に合致する場合には（ステップＳ２５にてＹＥＳ）、コンテンツの再生を終了する（Ｓ２６）。その後、携帯通信端末１２における処理動作を終了する。【０１９０】  図３２は、入れ替えた表示用テンプレートに基づいて表示部３３に表示される表示画像の変遷の一例を示している。図３２に関する表示用テンプレートは、図２７に関する表示用テンプレートに比べて、第２の表示領域１００が、第１の表示領域５４における上部に設定され、第３の表示領域１０１が、第１の表示領域５４における下部に設定される点が異なり、その他の内容は同様である。【０１９１】  したがって、本実施形態では、利用者からの操作に基づい���テンプレート合成部９６が表示用テンプレートを入れ替えることにより、例えば、図２７に示されるような表示レイアウトから、図３２に示されるような表示レイアウトに変更することができる。その結果、利用者が所望する表示レイアウトを実現することができる。また、携帯通信端末１２が変更指示サーバ８２から同じ変更指示信号を受信しても、異なる表示レイアウトを実現することができる。【０１９２】  なお、本実施形態では、テンプレート選択部９７は、操作部３２の操作に基づいて原テンプレートを選択しているが、表示用テンプレートサーバ１１などの外部装置から受信した所定の変更指示信号に基づいて原テンプレートを選択することもできる。【０１９３】  本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。【０１９４】  例えば、サーバ１１の各ブロック、特に制御部２１や、携帯通信端末１２の各ブロック、特に制御部３１は、ハードウェアロジックによって構成してもよいし、次のようにＣＰＵを用いてソフトウェアによって実現してもよい。【０１９５】  すなわち、サーバ１１および携帯通信端末１２は、各機能を実現する制御プログラムの命令を実行するＣＰＵ、上記プログラムを格納したＲＯＭ、上記プログラムを展開するＲＡＭ、上記プログラムおよび各種データを格納するメモリ等の記憶装置（記録媒体）などを備えている。そして、本発明の目的は、上述した機能を実現するソフトウェアであるサーバ１１および携帯通信端末１２の制御プログラムのプログラムコード（実行形式プログラム、中間コードプログラム、ソースプログラム）をコンピュータで読み取り可能に記録した記録媒体を、上記サーバ１１および携帯通信端末１２に供給し、そのコンピュータ（またはＣＰＵやＭＰＵ）が記録媒体に記録されているプログラムコードを読み出し実行することによっても、達成可能である。【０１９６】  上記記録媒体としては、例えば、磁気テープやカセットテープ等のテープ系、フレキシブルディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。【０１９７】  また、サーバ１１および携帯通信端末１２を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（ｖｉｒｔｕａｌ  ｐｒｉｖａｔｅ  ｎｅｔｗｏｒｋ）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された搬送波あるいはデータ信号列の形態でも実現され得る。【０１９８】  発明の詳細な説明の項においてなされた具体的な実施形態または実施例は、あくまでも、本発明の技術内容を明らかにするものであって、そのような具体例にのみ限定して狭義に解釈されるべきものではなく、本発明の精神と次に記載する特許請求事項の範囲内で、いろいろと変更して実施することができるものである。
【産業上の利用可能性】
【０１９９】  本発明に係る通信ネットワークシステムでは、情報通信端末は、表示画面の狭い携帯電話機、ＰＤＡ、ノート型ＰＣなどの携帯通信端末に好適であるが、デスクトップ型ＰＣ、ネットワーク対応型表示装置、ＴＶ受像機など、その他の情報通信端末にも適用できる。
【図１】
2006114905.tif 000002
【図２】
2006114905.tif 000003
【図３】
2006114905.tif 000004
【図４】
2006114905.tif 000005
【図５】
2006114905.tif 000006
【図６】
2006114905.tif 000007
【図７（ａ）】
2006114905.tif 000008
【図７（ｂ）】
2006114905.tif 000009
【図８】
2006114905.tif 000010
【図９】
2006114905.tif 000011
【図１０（ａ）】
2006114905.tif 000012
【図１０（ｂ）】
2006114905.tif 000013
【図１１】
2006114905.tif 000014
【図１２（ａ）】
2006114905.tif 000015
【図１２（ｂ）】
2006114905.tif 000016
【図１３】
2006114905.tif 000017
【図１４】
2006114905.tif 000018
【図１５（ａ）】
2006114905.tif 000019
【図１５（ｂ）】
2006114905.tif 000020
【図１６】
2006114905.tif 000021
【図１７】
2006114905.tif 000022
【図１８（ａ）】
2006114905.tif 000023
【図１８（ｂ）】
2006114905.tif 000024
【図１９】
2006114905.tif 000025
【図２０】
2006114905.tif 000026
【図２１（ａ）】
2006114905.tif 000027
【図２１（ｂ）】
2006114905.tif 000028
【図２２】
2006114905.tif 000029
【図２３（ａ）】
2006114905.tif 000030
【図２３（ｂ）】
2006114905.tif 000031
【図２４】
2006114905.tif 000032
【図２５（ａ）】
2006114905.tif 000033
【図２５（ｂ）】
2006114905.tif 000034
【図２６】
2006114905.tif 000035
【図２７】
2006114905.tif 000036
【図２８】
2006114905.tif 000037
【図２９】
2006114905.tif 000038
【図３０】
2006114905.tif 000039
【図３１】
2006114905.tif 000040
【図３２】
2006114905.tif 000041
【国際調査報告】
2006114905.tif 000042
2006114905.tif 000043